(57)【要約】【課題】ユーザによって設定される条件に基づいた運転状態を監視できること。【解決手段】空気調和機３の監視を行う空調制御監視装置２であって、ユーザによって設定された注意運転の判定条件を受け付ける条件受付部２１と、条件受付部２１から受け付けた注意運転の判定条件を記憶する記憶部２２と、記憶部２２に記憶されている判定条件に基づいて、注意運転が発生したか否かを判定する判定部２３と、判定部２３によって注意運転が発生したと判定された場合に、注意運転が発生した旨を通知する通知部２５とを具備する。【選択図】図１
2010190550.tif 000002
【特許請求の範囲】
【請求項１】
空気調和機の監視を行う空調制御監視装置であって、
ユーザによって設定された注意運転の判定条件を受け付ける条件受付手段と、
前記条件受付手段によって受け付けられた注意運転の判定条件を記憶する記憶手段と、
該記憶手段に記憶されている判定条件に基づいて、前記注意運転が発生したか否かを判定する判定手段と、
該判定手段によって前記注意運転が発生したと判定された場合に、該注意運転が発生した旨を通知する通知手段と
を具備することを特徴とする空調制御監視装置。
【請求項２】
前記通知手段は、前記記憶手段が保有する前記空気調和機の設置場所を示す音と、前記空気調和機の運転状態を示す音とを組み合わせ、発生した注意運転の設置場所と運転状態とを音によって通知することを特徴とする請求項１に記載の空調制御監視装置。
【請求項３】
前記注意運転の判定条件は、空気調和機の設置環境とその設置環境における運転状態との組み合わせを含むことを特徴とする請求項１または請求項２に記載の空調制御監視装置。
【請求項４】
前記空気調和機の制御を行う制御手段を備え、
該制御手段は、
前記判定部において前記注意運転が発生したと検出された場合に、前記注意運転の判定条件に対応付けられた運転指令に基づいて前記空気調和機の制御を行うことを特徴とする請求項１から請求項３のいずれかに記載の空調制御監視装置。
【請求項５】
空気調和機の監視を行う空調制御監視方法であって、
ユーザによって設定された注意運転の判定条件を受け付け、
前記注意運転の判定条件を記憶し、
該判定条件に基づいて、前記注意運転が発生したか否かを判定し、
前記注意運転が発生したと判定された場合に、該注意運転が発生した旨を通知する空調制御監視方法。
【請求項６】
空気調和機の監視を行う空調制御監視プログラムであって、
ユーザによって設定された注意運転の判定条件を受け付ける条件受付処理と、
前記条件受付処理から受け付けた注意運転の判定条件を記憶する記憶処理と、
該記憶処理に記憶されている判定条件に基づいて、前記注意運転が発生したか否かを判定する判定処理と、
該判定処理によって前記注意運転が発生したと判定された場合に、該注意運転が発生した旨を通知する通知処理と
をコンピュータに実行させるための空調制御監視プログラム。
【発明の詳細な説明】
【技術分野】
【０００１】
本発明は、空調制御監視装置及び方法並びにプログラムに関するものである。
【背景技術】
【０００２】
従来、ビル内に配置された複数の空気調和機を集中管理するビル管理システムにおいて、管理対象となる空気調和機の運転状況等の管理データは中央監視装置に集約されている。また、各空気調和機の管理データは、中央監視装置からＬＡＮや公衆回線等によって接続された遠隔地にある監視端末に通知され、監視端末上から空気調和機の運転状況の監視が行われている。
【先行技術文献】
【特許文献】
【０００３】
【特許文献１】特開２００８−２４９２３３号公報
【発明の概要】
【発明が解決しようとする課題】
【０００４】
ところで、中央監視装置は、監視している空気調和機の運転状態に異常があることを検知すると、遠隔地にある監視端末等に異常の旨を通知するデータを送信することにより、監視員に空気調和機の異常があることを知らせている。しかしながら、従来、中央監視装置は空気調和機の故障や障害の前兆となる運転状態か否かを監視しているが、ユーザの設置環境に適している運転状態か否かを監視することができず、設置環境に適していない運転状態を監視員に通知することができないという問題があった。また、設置環境に適さない設定は、空気調和機のユーザによって異なるため、空気調和機設置時にメーカ或いは設置業者等によって、事前に定義を設定することができないという問題があった。
【０００５】
本発明は、上記問題を解決するためになされたもので、空気調和機の異常運転か否かに関わらず、ユーザによって設定される条件に基づいた運転状態を監視できる空気調和機の監視装置及び方法並びにプログラムを提供することを目的とする。
【課題を解決するための手段】
【０００６】
上記課題を解決するために、本発明は以下の手段を採用する。
【０００７】
本発明は、空気調和機の監視を行う空気調和機の監視装置であって、ユーザによって設定された注意運転の判定条件を受け付ける条件受付手段と、前記条件受付手段によって受け付けられた注意運転の判定条件を記憶する記憶手段と、該記憶手段に記憶されている判定条件に基づいて、前記注意運転が発生したか否かを判定する判定手段と、該判定手段によって前記注意運転が発生したと判定された場合に、該注意運転が発生した旨を通知する通知手段とを具備することを特徴とする空気調和機の監視装置を提供する。
【０００８】
このように、ユーザによって設定された注意すべき運転状態である注意運転の判定条件を受け付ける条件受付手段を備えるので、空気調和機の運転異常か否かに関わらず、ユーザが注意運転として注意を喚起したい条件をユーザが自ら設定することが可能となる。ユーザによって設定された注意運転の判定条件は、記憶手段に記録され、この判定条件に基づいて注意運転が発生したか否かが判定手段によって判定される。そして、注意運転が発生したと判定された場合には、通知手段によって注意運転が発生した旨がユーザに通知される。
このように、本発明によれば、空気調和機が正常に動作している場合でも、ユーザによって定義される判定条件を満足した場合には、注意運転として通知される。これにより、空気調和機の正常、異常に因らず、ユーザにとって不都合な運転条件を定義することができ、その不都合な運転条件を容易に把握することができる。
上記注意運転の判定条件は、注意運転の監視を行う空気調和機または空調区分、並びに、監視を行う時間帯に対応付けられて記憶手段に格納されている。
【０００９】
上記空調制御監視装置において、前記通知手段は、前記記憶手段が保有する前記空気調和機の設置場所を示す音と、前記空気調和機の運転状態を示す音とを組み合わせ、発生した注意運転の設置場所と運転状態とを音によって通知することとしてもよい。
【００１０】
このように、注意運転が発生した場合には、設置場所の情報とその運転状態とが音声で通知されるので、常に画面を見ていなくても、注意運転の発生を把握することが可能となる。
【００１１】
上記空調制御監視装置において、前記注意運転の判定条件は、空気調和機の設置環境とその設置環境における運転状態との組み合わせを含むこととしてもよい。
【００１２】
上記空気調和機の設置環境としては、例えば、空気調和機の設置場所となる部屋、目的別に分けられた部屋のグループ等が挙げられる。また、設置環境における運転状態とは、例えば、運転日時、運転モード、設定温度、室温、及びリモコン操作の許可否設定等である。
【００１３】
上記空調制御監視装置において、前記空気調和機の制御を行う制御手段を備え、該制御手段は、前記判定部において前記注意運転が発生したと検出された場合に、前記注意運転の判定条件に対応付けられた運転指令に基づいて前記空気調和機の制御を行うこととしてもよい。
【００１４】
このように、注意運転の条件に、注意運転が発生した場合の空気調和機に対する制御指令が設定され、注意運転が発生した場合は、該制御指令に基づいて制御手段によって空気調和機が制御される。これにより、注意運転の発生時に監視員が不在であっても、注意運転を行う空気調和機に対して注意運転でない運転に変更させることができる。
【００１５】
本発明は、空気調和機の監視を行う空調制御監視方法であって、ユーザによって設定された注意運転の判定条件を受け付け、前記注意運転の判定条件を記憶し、該判定条件に基づいて、前記注意運転が発生したか否かを判定し、前記注意運転が発生したと判定された場合に、該注意運転が発生した旨を通知する空調制御監視方法を提供する。
【００１６】
本発明は、空気調和機の監視を行う空調制御監視プログラムであって、ユーザによって設定された注意運転の判定条件を受け付ける条件受付処理と、前記条件受付処理から受け付けた注意運転の判定条件を記憶する記憶処理と、該記憶処理に記憶されている判定条件に基づいて、前記注意運転が発生したか否かを判定する判定処理と、該判定処理によって前記注意運転が発生したと判定された場合に、該注意運転が発生した旨を通知する通知処理とをコンピュータに実行させるための空調装置監視プログラムを提供する。
【発明の効果】
【００１７】
本発明によれば、空気調和機の異常運転か否かに関わらず、ユーザによって設定される条件に基づいた運転状態を監視できるという効果を奏する。
【図面の簡単な説明】
【００１８】
【図１】本発明の一実施形態に係る空気調和機の監視装置の構成の一例を示したブロック図である。
【図２】注意運転の条件を設定する場合の一画面例である。
【図３】注意運転を監視員に喚起する場合のポップアップ画面の一画面例である。
【発明を実施するための形態】
【００１９】
以下に、本発明にかかる空気調和機の監視装置を適用したビル管理システムの一実施形態について、図面を参照して説明する。
【００２０】
図１は、本発明の一実施形態に係るビル管理システム１００の全体構成を示す図である。
図１に示されるように、本実施形態に係るビル管理システム１００は、ＷＥＢブラウザが搭載されたクライアント端末１及び空調制御監視装置２を主な構成として備えている。空調制御監視装置２は、クライアント端末１からの指示に応じて、空気調和機３の運転制御を行うとともに、空気調和機３の運転状態を監視し、クライアント端末１に対して空気調和機３の運転状態を提供する。
【００２１】
空気調和機３は、所定のタイミングで自身の運転状態を空調制御監視装置２に出力する。上記運転状態とは、例えば、運転日時、運転モード、設定温度、室温、及びリモコン操作の許可否設定等である。
また、空気調和機３は、空調制御監視装置２から出力される制御指令に基づいて制御される。
【００２２】
クライアント端末１は、空調制御監視装置２に対して空気調和機３の各種の運転制御指令を出すとともに、空調制御監視装置２から受信した運転状態に関する情報を解析して、表示画面に表示させる。このため、クライアント端末１は、図示しないＣＰＵ（中央演算装置）、ＲＯＭ（Read Only Memory）、ＲＡＭ（Random Memory）、入力装置、モニタ等を備える。
【００２３】
クライアント端末１と空調制御監視装置２とは、ビル管理通信ネットワーク４を介して接続されている。このビル管理通信ネットワーク４は、例えば、ビル管理用に標準規格化された通信プロトコル（例えば、ＴＣＰ／ＩＰ）を使用したネットワークであり、例えば、ＬＡＮ（Local Area Network）等である。また、空調制御監視装置２と空気調和機３とは、空調制御ネットワーク５を介して接続されている。この空調制御ネットワーク５は、例えば、空気調和機の制御監視用に標準規格化された通信プロトコルを使用したネットワークである。
【００２４】
また、クライアント端末１は、通知された内容に音や音声が含まれていた場合に、音や音声で監視員に知らせることができるように、クライアント端末１上のスピーカ設定を有効にしている。
【００２５】
空調制御監視装置２は、例えば、コンピュータであり、図示しないＣＰＵ（中央演算装置）、ＲＯＭ（Read Only Memory）、ＲＡＭ（Random Access Memory）等から構成されている。後述の各種機能を実現するための一連の処理の過程は、プログラムの形式でＲＯＭ等に記録されており、このプログラムをＣＰＵがＲＡＭ等に読み出して、情報の加工・演算処理を実行することにより、後述の各種機能が実現される。
【００２６】
空調制御監視装置２は、条件受付部（条件受付手段）２１、記憶部（記憶手段）２２、判定部（判定手段）２３、受信部２４、及び通知部（通知手段）２５を備えている。
【００２７】
条件受付部２１は、ユーザによって設定された注意運転の判定条件を受け付ける。具体的には、条件受付部２１は、ユーザによって設定された注意運転の判定条件がクライアント端末１から送信されてきた場合に、その注意運転の条件を記憶部２２に格納する。なお、クライアント端末１との具体的な情報の授受については後述する。
【００２８】
注意運転とは、空気調和機の異常か否かに関わらず、ユーザが注意を払いたい運転状態をいう。例えば、会社の重役が訪れるために、応接室を快適な温度に設定しておきたい場合に、その応接室における好ましくない運転状態を注意運転として定義し、入力する。注意運転の判定条件は、装置として正常な運転状態であってもよく、ユーザによって定義された判定条件が注意運転の判定条件とされる。また、１つの空気調和機または複数の空気調和機が設置されている空調区画に対し定義する注意運転の判定条件は、複数であってもよい。
【００２９】
図２は、注意運転の判定条件を設定する場合に、クライアント端末１上に表示される画面例の一例である。図２に示されるように、「注意運転の判定条件のリスト」は、例えば、一覧表の形式で表示される。図２における、空調セル部分においては、空調区画を指定する識別子（例えば、部屋を特定する名前、フロアを特定する番号等）を選択する。注意運転登録部分においては、選択した空調区画に対し、注意運転の判定条件として登録する空気調和機の運転状態を設定する。空調区画の識別子と注意運転の判定条件は、登録ボタンを押すことにより保存される。
【００３０】
例えば、ユーザは、空調区画を指定する識別子として部屋の名前である「サーバ室」を設定し、注意運転の判定条件として「運転の停止」「冷房運転以外」「リモコン許可」を設定する。また、例えば、真夏に「会議室」において重要な打ち合わせが予定されているために、その会議室の空調環境を快適な温度に保ちたい場合には、ユーザは、場所として「会議室」を設定し、注意運転の判定条件として「冷房」「温度２６度以上」等の運転状態を設定する。また、このとき、この注意運転の監視を行わせたい日時も設定できるようなっていることが好ましい。例えば、会議が予定されている期間を注意運転の監視を行う機関として設定する。これにより、会議が行われている期間においては、上記運転状態を逸脱したときに、警告等が発せられることとなる。
【００３１】
また、注意運転として設定される例としては、例えば、「ロッカー室」において、出入りする人間が不在と予想される時間帯（例えば、２２時から翌朝の７時まで）においては、ロッカー室における空気調和機をすべて運転停止の状態にしたい場合には、ユーザは、「ロッカー室」を監視対象の区画として設定し、注意運転の判定条件として、「運転中」と設定し、また、監視を行う期間として「２２時から翌朝７時」と設定する。これにより、ロッカー室に設置されている空気調和機のうち、上記期間において、一台でも運転している空気調和機が検知された場合には、注意運転として判定されることとなる。
【００３２】
ユーザは、注意運転の判定条件等の入力が終了するとこの設定内容を空調制御監視装置２に登録させるために、「登録ボタン」をクリックする。これにより、ユーザによって設定された注意運転の判定条件等が空調制御監視装置２に対して送信され、空調制御監視装置２内の記憶部２２に記憶される。
【００３３】
なお、空調制御監視装置２における上記注意運転の判定条件は、空気調和機毎に設定されてもよいし、空気調和機の空調区画（空気調和機がカバーするエリア）毎に設定されてもよい。また、１つの空調区画において監視対象とされる空気調和機は複数登録されてもよい。
【００３４】
記憶部２２には、上記ユーザによって設定された注意運転の判定条件が格納されているとともに、各空調区画の識別子の選択項目（例えば、サーバ室、会議室等の部屋の名前）、及び運転状態の選択項目（例えば、暖房、冷房、送風等）にそれぞれ対応する音が記憶されていてもよい。音は、音声であってもよい。例えば、オペレータが運転状態として設定される選択項目を読み上げた音声が格納されていてもよい。
【００３５】
判定部２３は、記憶部２１に記憶されている注意運転の判定条件に基づいて、注意運転が発生したか否かを判定する。具体的には、判定部２３は、受信部２４から受信した空気調和機３の所定のタイミングの運転状態と、記憶手段２２に記憶されている注意運転の運転状態とを比較し、注意運転と合致する運転状態となっているか否かを判定する。判定の結果、注意運転の運転状態である空気調和機３がある場合には、通知部２５に注意運転が発生した情報を出力する。
【００３６】
受信部２４は、空気調和機３の現在の運転状態を所定のタイミングで受信し、受信した空気調和機３の現在の運転状態を、判定部２３に出力する。
【００３７】
通知部２５は、判定部２３によって注意運転が発生したと判定された場合に、注意運転の発生した旨をユーザに通知する。例えば、通知部２５は、判定部２３から取得した注意運転の情報に基づいて、クライアント端末１に対し、注意運転を喚起する通知を行う。
【００３８】
通知される情報は、注意運転の通知対象となった空調区画とその運転状態の詳細のデータである。空調区画とその運転状態の詳細データは、クライアント端末１において、画面にポップアップされる。また、注意運転の発生が音によっても通知される。
【００３９】
具体的には、通知部２５からクライアント端末１に注意運転の発生が通知されると、例えば、図３に示されるように、クライアント端末１上には、各空気調和機のリストを表示する等の監視画面と異なる画面がポップアップされ、注意運転の詳細が表示されるとともに、その通知内容が音声で通知される。ポップアップ画面で通知される内容は、例えば、注意運転が発生したことを知らせるメッセージ、空調区画、運転状態（運転モード、風量、設定温度、室温、リモコン操作許可否、異常か否か等）である。また、音声で通知される内容は、例えば、空調区画と運転状態とに対応付けられた音声データが監視装置からクライアント端末に送信されることによって、空調区画と運転状態とが音声データで読み上げられることとなる。
【００４０】
次に、本実施形態に係る空調制御監視装置の作用について説明する。
まず、注意運転を開始させるにあたって、ユーザはクライアント端末１の画面上に注意運転の判定条件を登録させるための画面を表示させ、この画面において注意運転として監視させたい条件を登録する。この登録画面については、クライアント端末１に予め保存されていてもよいし、ネットワークを介して監視装置から受信することにより、クライアント端末に画面を表示させることとしてもよい。
【００４１】
例えば、ユーザは、この登録画面において、監視対象の区画として、「サーバ室」を、注意運転の判定条件として、「暖房」の設定を行い、登録ボタンをクリックする。これにより、判定条件として入力された「暖房」の内容が監視対象区画として指定された「サーバ室」に対応づけられて空調制御監視装置２に送信される。
空調制御監視装置２において、クライアント端末から受信した上記注意運転の判定条件とその監視区画とは、条件受付部２１によって受け付けられ、記憶部２２に格納される。
【００４２】
判定部２３は、受信部２４によって受信される各空気調和機３の運転状態を監視する上で、記憶部２２に格納された各注意運転の判定条件を満たす空気調和機３あるいは空調区画が存在するか否かを判定する。このような場合において、例えば、誰のものかによって、「サーバ室」の運転状態が「冷房」から「暖房」に切り替えられた場合には、注意運転の判定条件を満たすとして判断し、注意運転が発生している旨、及び「サーバ室」における運転状態の詳細情報を通知部２５に出力する。また、判定部２３は、記憶部２２において、「サーバ室」及び「暖房」に対応する音声が格納されていた場合には、それらの音声情報についても通知部２５に出力する。
【００４３】
これにより、通知部２５を介して、注意運転が発生した旨及び「サーバ室」における現在の詳細な運転状態、並びに、注意運転が発生した旨等を通知する音声情報がクライアント端末１に送信される。
上記情報を受信したクライアント端末１では、画面上に注意運転が発生した旨、その空調区画における現在の運転状態等が表示、音声等により通知される。
【００４４】
このように、クライアント端末１を監視する監視員に対し、クライアント端末１の画面によって視覚的に注意運転を喚起するとともに、クライアント端末１からの音の情報によって聴覚的に注意運転を喚起することができる。これにより、監視員がクライアント端末１の画面上を監視している場合には、ポップアップされた画面を見ることによって即座に注意運転を把握できる。さらに、例えば、監視員が隣の端末で別の作業をしているような場合に、クライアント端末１の画面を注視していなくても、音声によって通知されるので、速やかに注意運転を把握することができる。
【００４５】
以上説明してきたように、本実施形態に係る空気調和機の監視装置及び監視方法並びに監視プログラムによれば、条件受付部２１において設置環境等に応じた条件を注意運転としてユーザが任意に設定でき、設定された注意運転の判定条件は記憶部２２に格納され、判定部２３において現在の空気調和機の運転状態と記憶部２２に記憶されている注意運転の判定条件とを比較し、注意運転が発生しているか否かを判定する。さらに、注意運転が発生した場合には、通知部２５を介して、クライアント端末１に注意運転が発生した旨を通知する。クライアント端末１においては、受信した注意運転の情報に基づいて、画面上に注意運転のポップアップ画面を表示するとともに、クライアント端末１にいて注意運転が発生したことを音声により通知する。
【００４６】
これにより、空気調和機の異常（例えば、故障、障害等）でない場合であっても、空気調和機の設置環境に応じて設定される注意運転の判定条件に基づいて、監視員に重要度の高い運転状態である注意運転を通知することができる。
例えば、サーバ室等のマシンが多く設置されている環境は温度が上がりやすく、かつ、マシンを正常に動作させるにはマシンの温度上昇を防ぐことが必要であることから、サーバ室は常に冷房運転である必要がある。換言すると、サーバ室における空気調和機は、冷房運転以外で運転することは重要度の高い（危険度の高い）運転である。しかしながら、空気調和機が正常運転であり、かつ、「冷房運転以外」であることは、一般的には故障ではないため、従来の異常通知の通知機能では、「サーバ室が冷房運転以外である」という注意運転を通知することができなかった。本発明によれば、このように空気調和機毎にユーザが定義する運転状態を注意運転として設定し、その運転状態で運転しているか否かを監視できるので、空気調和機を所望の運転状態で運転できるよう監視することが可能となる。
【００４７】
さらに、注意運転の通知方法はクライアント端末１上において、音声によって通知されるので、クライアント端末１の画面上を注視していない場合であっても、注意運転の発生を速やかに把握することが可能となる。
【００４８】
〔変形例〕
なお、本実施形態に係る空気調和機の監視装置においては、クライアント端末から注意運転を設定するとともに、注意運転の運転状態である空気調和機があるか否かを監視しているだけであったが、これに限定されない。例えば、注意運転の判定条件を定義する場合に、その注意運転の判定条件に対応付けられる空気調和機の制御指令を定義することとしてもよい。
【００４９】
例えば、空調制御監視装置２が空気調和機３に対する運転状態の制御の指令を送信できる制御部（制御手段）を備え、制御部は、判定部２３において注意運転が発生したと検出された場合に、注意運転の判定条件に対応付けられた運転指令に基づいて空気調和機の制御を行う。注意運転に対応付けられた空気調和機の制御指令に基づいて、制御部によって空気調和機を制御することとしてもよい。
【００５０】
これにより、監視員がクライアント端末１のポップアップ画面や音声通知を速やかに確認できない場合（例えば、不在時等）においても、注意運転が通知された空気調和機の運転状態を、速やかに、設置環境に適応した運転状態に変更することができる。
【００５１】
なお、本実施形態においては、音声で注意運転を喚起する場合に、記憶部２２が音声情報を備えており、通知する情報に対応付けられた音声のデータが、空調制御監視装置２からクライアント端末１に送信されていたが、これに限定されない。例えば、クライアント端末１上で音声によって通知したい注意運転の設定項目の音の情報を、クライアント端末１に予め格納しておき、通知部２５から通知された注意運転のデータに基づいて、この注意運転のデータに対応付けられるクライアント端末１内の音声を読み上げることとしてもよい。
【００５２】
また、クライアント端末１によって注意運転の判定条件を設定する場合の「注意運転の判定条件のリスト」は、空調制御監視装置２内に格納されていてもよいし、クライアント端末１に格納されていてもよいこととする。例えば、空調制御監視装置２内に格納されている場合には、クライアント端末１からのアクションに基づいて空調制御監視装置２からクライアント端末１に注意運転の判定条件のリストを提供し、クライアント端末１において編集後にクライアント端末１から空調制御監視装置２に出力される。また、他の例としては、クライアント端末１に注意運転の判定条件のリストが格納されており、注意運転の判定条件を設定する場合に、空調制御監視装置２に出力されるものであってもよい。
【００５３】
以上、本発明の実施形態について図面を参照して詳述してきたが、具体的な構成はこの実施形態に限られるものではなく、本発明の要旨を逸脱しない範囲の設計変更等も含まれる。
【符号の説明】
【００５４】
１  クライアント端末
２  空調制御監視装置
３  空気調和機
２１  条件受付部
２２  記憶部
２３  判定部
２４  受信部
２５  通知部
【図１】
2010190550.tif 000003
【図２】
2010190550.tif 000004
【図３】
2010190550.tif 000005